(57)【要約】【課題】  ヘッドバンドを吊り下げた保管時等にも、左右のヘッドホン本体が不用意に回転して見栄えを損なうことがなく、しかも、使用する際に、傾きや反転を直すような手間もかからない使い勝っての良いヘッドホンを提供すること。【解決手段】  ヘッドバンド１６の両端にハンガー７を介して回転自在に連結された左右一対のヘッドホン本体１３，１４の重心を、ハンガー７による支持位置よりも下げるウエイト２１を、各ヘッドホン本体１３，１４のハウジング１３ａ，１４ａに装備して、ヘッドバンド１６を吊り下げた時に、各ヘッドホン本体１３，１４が自然に正規の姿勢を保てるようにした構成。【選択図】        図２
2005295462.tif 000002
【特許請求の範囲】
【請求項１】
ハウジングに電気音響変換部を収容した左右一対のヘッドホン本体のそれぞれが、ヘッドバンドの端部にハンガーを介して回転自在に連結されると共に、音響機器のヘッドホン接続端子に接続する入力コードが左右のいずれか一方のヘッドホン本体から引き出される片出しコードタイプのヘッドホンであって、
左右のヘッドホン本体の重心位置が、前記ハンガーによる回転支持部よりも下方となるように、左右のヘッドホン本体のハウジングにウエイトを装備したことを特徴とするヘッドホン。
【請求項２】
前記ウエイトを、前記ハウジング上の振動部分に固定したことを特徴とする請求項１に記載のヘッドホン。
【請求項３】
前記入力コードが接続されている一方のヘッドホン本体では、前記入力コードの引き出し側に装備されていることを特徴とする請求項１又は２に記載のヘッドホン。
【請求項４】
前記入力コードが接続されている一方のヘッドホン本体と前記入力コードが接続されていない他方のヘッドホン本体とが吊り上げた時にバランスを維持できるように、前記入力コードが接続されていない他方のヘッドホン本体に装備するウエイトは、前記入力コードが接続されている一方のヘッドホン本体に装備するウエイトよりも重量の大きなものを使用したことを特徴とする請求項１乃至請求項３のいずれか一項に記載のヘッドホン。
【発明の詳細な説明】
【技術分野】
【０００１】
本発明は、ヘッドホンに関し、特に、ハウジングに電気音響変換部を収容した左右一対のヘッドホン本体のそれぞれが、頭の上を跨ぐヘッドバンドの端部に回転自在に連結されると共に、音響機器のヘッドホン接続端子に接続する入力コードが左右のいずれか一方のヘッドホン本体から引き出される片出しコードタイプのヘッドホンに関する。
【背景技術】
【０００２】
図１は、所謂、片出しコードタイプの従来のヘッドホンをユーザが装着した状態を示している。
このヘッドホン１は、ハウジング３ａ，４ａに電気音響変換部（スピーカユニット）を収容した左右一対のヘッドホン本体３，４のそれぞれが、頭の上を跨ぐヘッドバンド６の端部にハンガー７を介して回転自在に連結されると共に、音響機器のヘッドホン接続端子に接続する入力コード８が左側のヘッドホン本体３から引き出されている（例えば、特許文献１参照）。
【０００３】
ハンガー７は、対向配置した一対の回転支持軸をハウジング３ａ，４ａの対応位置に嵌合させることで、各ハウジング３ａ，４ａを回転自在に支持する。
右側のヘッドホン本体４内の電気音響変換部への入力コードはヘッドバンド６内を通って、左側のヘッドホン本体３内の電気音響変換部への入力コードに一括されている。なお、ハウジング３ａ，４ａの耳に接触する側の外周部には、肌へ接触した時のフィット感を高めるために、クッション性を有したパッド９が装着されている。
【０００４】
このように入力コード８の引き出しを片側のヘッドホン本体３にまとめることで、装着した時に顔の前や首の後ろ等で入力コード８が交差することがなくなり、すっきりとした装着が可能になる。
【０００５】
【特許文献１】特開平８−２５６３９１号公報
【発明の開示】
【発明が解決しようとする課題】
【０００６】
ところで、ハンガー７によって回転自在に支持されたハウジング３ａ，４ａは、例えば、図示のようにヘッドバンド６の部分を壁のフック１０等に引っ掛けて保管する場合に、各ヘッドホン本体３，４が任意の向きで不揃いに傾斜した状態になったり、或いは、パッド９側が外方に向いた反転状態になってしまって、見栄えを損なうという問題があった。
また、装着する時には、反転を直す操作が必要となって、取り扱い性が悪いという問題があった。
そこで、従来では、ハンガー７とハウジング３ａ，４ａとの係合部に、ハウジング３ａ，４ａの回転範囲を規制する回転規制機構を装備したものがあるが、このようなものでは、例えば、一方のヘッドホン本体を反転させて片チャンネルだけモニターするような使い方ができなくなるという不便が生じた。
【０００７】
本発明が解決しようとする課題としては、上述した従来技術において生じる、ヘッドバンドを吊り下げた時に左右のヘッドホン本体が不揃いに傾斜したり、反転したりして見栄えを損なうという問題が一例として挙げられる。
【課題を解決するための手段】
【０００８】
請求項１に記載のヘッドホンは、ハウジングに電気音響変換部を収容した左右一対のヘッドホン本体のそれぞれが、ヘッドバンドの端部にハンガーを介して回転自在に連結されると共に、音響機器のヘッドホン接続端子に接続する入力コードが左右のいずれか一方のヘッドホン本体から引き出される片出しコードタイプのヘッドホンであって、左右のヘッドホン本体の重心位置が、前記ハンガーによる回転支持部よりも下方となるように、左右のヘッドホン本体のハウジングにウエイトを装備したことを特徴とする。
【発明を実施するための最良の形態】
【０００９】
以下、本発明に係るヘッドホンの好適な実施の形態について、図面を参照して詳細に説明する。
図２は、本発明に係るヘッドホンの一実施の形態を示したものである。
【００１０】
この一実施の形態のヘッドホン１１は、所謂、片出しコードタイプのもので、ハウジング１３ａ，１４ａに電気音響変換部（スピーカユニット）を収容した左右一対のヘッドホン本体１３，１４のそれぞれが、頭の上を跨ぐヘッドバンド１６の端部にハンガー７を介して回転自在に連結されると共に、音響機器（例えば、ＣＤプレーヤーやＤＶＤプレーヤーなど）のヘッドホン接続端子に接続する入力コード１８が左側のヘッドホン本体１３から引き出されている。
右側のヘッドホン本体１４内の電気音響変換部への入力コードはヘッドバンド１６内を通って、左側のヘッドホン本体１３内の電気音響変換部への入力コード１８に一括されているのである。
なお、ハウジング１３ａ，１４ａの耳に接触する側の外周部には、肌へ接触した時のフィット感を高めるために、クッション性を有したパッド１９が装着されている。
【００１１】
本実施の形態の左右のヘッドホン本体１３，１４のハウジング１３ａ，１４ａは、ＡＢＳ樹脂の射出成形品であり、低音域を改善するための筒状のバス・ダクト２３が、ハウジング１３ａ，１４ａの外表面に開口するように一体形成されている。
【００１２】
そして、本実施の形態の場合、左右のヘッドホン本体１３，１４の重心位置が、ハンガー７による回転支持部７ａよりも下方となるように、左右のヘッドホン本体１３，１４のハウジング１３ａ，１４ａにウエイト２１，２２を装備している。
この一実施の形態の場合、ウエイト２１とウエイト２２は、同一のものを使用している。
【００１３】
ウエイト２１，２２は、図３及び図４に示すように、各ヘッドホン本体１３，１４のバス・ダクト２３の外周に螺着するナット状のもので、ハウジング１３ａ，１４ａを構成する樹脂よりも比重が大きい金属等で形成されている。
ウエイト２１，２２は、その重量と、取り付け位置に応じて発生するモーメントＭ１，Ｍ２によって、ハウジング１３ａ，１４ａの下部が回転支持部７ａよりも下側に位置するように、負荷をかける。
【００１４】
なお、図３のヘッドホン本体１４は、パッド１９やスピーカユニット２５が取り付けられた内側ハウジング１４ｂをハウジング１４ａから取り外して、ハウジング１４ａの裏側を露出させた状態を示している。
【００１５】
本実施の形態の場合、ウエイト２１，２２はバス・ダクト２３の外周に螺着させるため、ねじを緩めたり締め付けたりすることで、ウエイト２１，２２のハウジング１３ａ，１４ａへの装着は着脱自在である。
【００１６】
また、バス・ダクト２３は、スピーカユニット２５の背圧によって振動する振動部分で、ウエイト２１，２２がハウジング１３ａ，１４ａの振動部分に装着された状態になっている。
【００１７】
さらに、入力コード１８が接続されている一方のヘッドホン本体１３では、前記入力コード１８の引き出し側に寄せてウエイト２１を装備している。
【００１８】
以上に説明したヘッドホン１１では、各ヘッドホン本体１３，１４は、重心位置がハンガー７による支持位置よりも下方になるため、壁のフック１０等に吊り下げた時には、重心位置のあるハウジング１３ａ，１４ａの下部が下側を向いた姿勢に安定し、不用意にハウジング１３ａ，１４ａが回動することがない。
従って、ヘッドバンド１６を吊り下げた保管時等にも、左右のヘッドホン本体１３，１４が不用意に回転して見栄えを損なうことがなく、しかも、使用する際に、傾きや反転を直すような手間もかからず、使い勝っても非常に良いものとなる。
また、ウエイト２１，２２の装備による重心位置の調整によって不用意な回転を規制する構成で、ストッパ等の機構によって強制的に回転範囲を制限するものではないため、例えば、一方のヘッドホン本体を反転させて片チャンネルだけモニターするような使い方もでき、ヘッドホンの用途が限定されない。
【００１９】
また、本実施の形態では、ウエイト２１，２２をハウジング１３ａ，１４ａ上の振動部分に装備していて、重心を下げるために装備したウエイト２１，２２が振動部分のカウンターウエイトとしても機能して、制振的な作用を発生するため、不要振動による再生音の汚れを低減させて、音質の向上を図ることも可能になる。
【００２０】
また、本実施の形態では、入力コード１８が引き出された側は、意図的に回転操作をしない限り、コード側を下向きにした姿勢が安定維持でき、ヘッドホン本体１３の不用意な回動の繰り返しによる入力コード１８の痛みを防止することができる。
【００２１】
図５は、本発明に係るヘッドホンの他の実施の形態を示している。
この実施の形態のヘッドホン３１では、前記入力コード１８が接続されている一方のヘッドホン本体１３と入力コード１８が接続されていない他方のヘッドホン本体１４とが吊り上げた時にバランスを維持できるように、入力コード１８が接続されていない他方のヘッドホン本体１４に装備するウエイト２２は、入力コード１８が接続されている一方のヘッドホン本体１３に装備するウエイト２１よりも重量の大きなものを使用している。それ以外の構成は、一実施の形態のヘッドホン１１と共通であり、共通の構成については、同番号を付して説明を省略する。
【００２２】
入力コード１８が接続されている一方のヘッドホン本体１３は、入力コード１８の自重による負荷がかかっており、それによって左右のヘッドホン本体１３，１４の重量バランスが崩れると、使用中に入力コード１８が接続されている側のヘッドホン本体１３がずり落ちてきたり、或いは、耳に装着した時のフィット感が左右で相異して、違和感を生じてしまう。
【００２３】
しかし、本実施の形態のヘッドホン３１のように、入力コード１８の負荷の分だけ、他方のヘッドホン本体１４に装備するウエイト２２を重くしておけば、入力コード１８による負荷の分を、他方のヘッドホン本体１４に装備するウエイト２２の重量で相殺して、左右の重量バランスを維持することができるため、重量バランスの崩れに起因した片側のヘッドホン本体１３のずり落ち等を解消でき、また、耳部へのフィット感が左右で相異して違和感や疲労を招くことも抑止でき、快適な使用を長時間継続することができる。
【００２４】
なお、本発明のヘッドホン１１において、重量調整のためにヘッドホン本体１３，１４のハウジング１３ａ，１４ａに装着する別体のウエイト２１，２２の具体的な形状、及びハウジング１３ａ，１４ａ上の取り付け位置等は、上記実施の形態に限らない。
【００２５】
以上詳述した本発明に係る実施の形態のヘッドホン１１，３１は、ハウジングに電気音響変換部を収容した左右一対のヘッドホン本体１３，１４のそれぞれが、ヘッドバンド１６の端部にハンガー７を介して回転自在に連結されると共に、音響機器のヘッドホン接続端子に接続する入力コード１８が左右のいずれか一方のヘッドホン本体１３（図２、図５では左側）から引き出される片出しコードタイプのヘッドホンであり、左右のヘッドホン本体１３，１４の重心位置が、ハンガー１０による回転支持部７ａよりも下方となるように、左右のヘッドホン本体のハウジング１３ａ，１４ａにウエイト２１，２２を装備したものである。
これにより、各ヘッドホン本体１３，１４は、重心位置がハンガー１０による支持位置よりも下方になるため、吊り下げた時には、重心位置のあるハウジング１３ａ，１４ａの下部が下側を向いた姿勢に安定し、不用意に回動することがない。
従って、ヘッドバンド１６を吊り下げた保管時等にも、左右のヘッドホン本体１３，１４が不用意に回転して見栄えを損なうことがなく、しかも、使用する際に、傾きや反転を直すような手間もかからず、使い勝っても非常に良いものとなる。
また、ウエイト２１，２２の装備による重心位置の調整によって不用意な回転を規制する構成で、機構によって強制的に回転範囲を制限するものではないため、例えば、一方のヘッドホン本体を反転させて片チャンネルだけモニターするような使い方もでき、ヘッドホンの用途が限定されない。
【図面の簡単な説明】
【００２６】
【図１】従来のヘッドホンの説明図である。
【図２】本発明に係るヘッドホンの一実施の形態の説明図である。
【図３】図２に示したヘッドホンの要部の分解斜視図である。
【図４】図３に示したウエイトの取り付け構造を示す断面図である。
【図５】本発明に係るヘッドホンの他の実施の形態の説明図である。
【符号の説明】
【００２７】
１１  ヘッドホン
１３，１４  ヘッドホン本体
１３ａ，１４ａ  ハウジング
１６  ヘッドバンド
１８  入力コード
１９  パッド
２１，２２  ウエイト
２３  バス・ダクト
【図１】
2005295462.tif 000003
【図２】
2005295462.tif 000004
【図３】
2005295462.tif 000005
【図４】
2005295462.tif 000006
【図５】
2005295462.tif 000007